(57)【特許請求の範囲】
【請求項１】
カメラ本体と、
前記カメラ本体の前方に位置する被写体の光学像を取り込む撮像レンズと、該撮像レンズで取り込まれた前記光学像を光電変換して画像情報を得る撮像素子と、を含む撮像部と、
前記カメラ本体の背面に設けられ、前記画像情報を表示する画像表示部と、
前記カメラ本体の前面に設けられ、主平面が前記撮像レンズの光軸と垂直な方向を向くように設けられた扁平空間からなるプリント用紙収納室と、
印刷時において、前記プリント用紙収納室に収納されたプリント用紙を引き出して前記カメラ本体の外へ搬出する用紙搬出手段と、
前記用紙搬出手段によって前記プリント用紙収納室から引き出された前記プリント用紙に対し、前記撮像部でとらえた光学像に対応する画像を露光により印刷するプリンタと、
を有し、
前記プリンタは、前記カメラ本体の厚さ方向において前記プリント用紙収納室と、前記画像表示部と、に挟まれるようにカメラ本体内部に配置され、さらに、前記プリント用紙収納室の背面側において前記プリント用紙収納室に対して平行に配置されると共に、その上端が前記カメラ本体の高さ方向において前記プリント用紙収納室の上端よりも上方に位置し、前記用紙搬出手段内にある前記プリント用紙に対して露光光を照射する
ことを特徴とする電子カメラ。
【請求項２】
前記カメラ本体は、
前記プリント用紙収納室が設けられた前記カメラ本体の前面がその主面となるような直方体状をなす縦長形状で構成され、
当該カメラ本体の周面に設けられ、前記プリンタにより所定画像を印刷された印刷済み用紙を当該カメラ本体の外部へ排出する為の用紙排出口と、
を備える
ことを特徴とする請求項１に記載の電子カメラ。
【請求項３】
前記プリント用紙収納室は、前記プリント用紙が格納される用紙カートリッジを挿脱可能な如く、前記カメラ本体の前面に設けられた開口部と、この開口部を開閉自在に閉塞する開閉蓋と、を含む
ことを特徴とする請求項１に記載の電子カメラ。
【請求項４】
前記カメラ本体内における前記プリント用紙収納室より上方の領域であって、かつ前記用紙搬出手段によって搬出される前記プリント用紙の搬出路より前方側に設置されたストロボ発光部を備えた
ことを特徴とする請求項１に記載の電子カメラ。
【請求項５】
前記プリンタは、自己現像型の感光性のプリント用紙の感光面に対し、前記光学像に対応した露光を行なう光学ヘッドを含む
ことを特徴とする請求項１に記載の電子カメラ。
【発明の詳細な説明】
【技術分野】
【０００１】
本発明は、撮像した被写体像を、内蔵プリンタを用いて、例えば自己現像型の感光性プリント用紙に対して、その場でプリントアウトすることが可能なプリンタ内蔵型の電子カメラに関する。
【背景技術】
【０００２】
電子カメラは、従来から広く使用されている銀塩カメラに比べて、撮像した画像をその場で直ちに再生して表示することが可能であるという優れた利点を有している。このような電子カメラに、更に、撮像した画像をその場でハードコピーすることのできるプリンタが内蔵されていれば、電子カメラの用途ないし利用範囲は格段に広がることになる。
【０００３】
特許文献１、特許文献２、特許文献３、及び特許文献４等には、従来知られているプリンタ内蔵型電子カメラの例が示されている。
【先行技術文献】
【特許文献】
【０００４】
【特許文献１】特開平９−２６５６１号公報
【特許文献２】特開平９−３７１２１号公報
【特許文献３】特開平１０−２５７４２７号公報
【特許文献４】特開平１０−９３８４９号公報
【発明の概要】
【発明が解決しようとする課題】
【０００５】
従来のプリンタ内蔵型の電子カメラには次のような問題があった。すなわち、プリンタ及びこのプリンタを駆動するための駆動機構、さらに上記プリンタに供給すべきプリント用紙を格納しておくための用紙カートリッジ等は、その体積がかなり大きい。このため、これらをカメラ本体に一体的に収容した場合、カメラ全体が相当大きなものとなり、携帯性や操作性を損なうおそれがある。
【０００６】
なお、特許文献４に記載されているものは、内部記憶手段に記憶された画像情報をディスプレイ手段である液晶表示装置で表示し、表示された被写体画像をそのまま光学的情報としてインスタント感光性用紙に焼き付けて印刷を行なうタイプの電子カメラである。この種の電子カメラでは、印刷可能なプリント画像のサイズが、液晶表示装置で表示された被写体画像と同一サイズに限られるという問題がある。しかも被写体画像の印刷を行なうためには、液晶表示装置による画像表示が本来不要な場合であっても、画像印刷のために液晶表示装置の照明用バックライトを点灯させる必要がある。このため内蔵電池の消耗を早めるという問題があった。
【０００７】
本発明の目的は、プリンタ内蔵型のカメラでありながら、携帯性及び操作性に優れており、しかも所要のカメラ機能を十分に発揮可能な電子カメラを提供することにある。
【課題を解決するための手段】
【０００８】
前記の目的を達成するために、本発明の第１の態様による電子カメラは、
カメラ本体と、
前記カメラ本体の前方に位置する被写体の光学像を取り込む撮像レンズと、該撮像レンズで取り込まれた前記光学像を光電変換して画像情報を得る撮像素子と、を含む撮像部と、
前記カメラ本体の背面に設けられ、前記画像情報を表示する画像表示部と、
前記カメラ本体の前面に設けられ、主平面が前記撮像レンズの光軸と垂直な方向を向くように設けられた扁平空間からなるプリント用紙収納室と、
印刷時において、前記プリント用紙収納室に収納されたプリント用紙を引き出して前記カメラ本体の外へ搬出する用紙搬出手段と、
前記用紙搬出手段によって前記プリント用紙収納室から引き出された前記プリント用紙に対し、前記撮像部でとらえた光学像に対応する画像を露光により印刷するプリンタと、
を有し、
前記プリンタは、前記カメラ本体の厚さ方向において前記プリント用紙収納室と、前記画像表示部と、に挟まれるようにカメラ本体内部に配置され、さらに、前記プリント用紙収納室の背面側において前記プリント用紙収納室に対して平行に配置されると共に、その上端が前記カメラ本体の高さ方向において前記プリント用紙収納室の上端よりも上方に位置し、前記用紙搬出手段内にある前記プリント用紙に対して露光光を照射する
ことを特徴とする。
【発明の効果】
【０００９】
本発明によれば、プリンタ内蔵型のカメラでありながら、携帯性及び操作性に優れており、しかも所要のカメラ機能を十分に発揮可能な電子カメラを提供することができる。
【図面の簡単な説明】
【００１０】
【図１】本発明の第１実施形態に係る電子カメラの外観を示す図で、（ａ）及び（ｂ）は主としてカメラ本体の前面を異なる二つの角度からみた外観斜視図。
【図２】本発明の第１実施形態に係る電子カメラの外面を示す図で、（ａ）はカメラ本体の上面図、（ｂ）はカメラ本体を前面側からみたとき左側に位置する第１側面を示す図、（ｃ）はカメラ本体の前面図、（ｄ）はカメラ本体を背面側からみたとき左側に位置する第２側面を示す図、（ｅ）はカメラ本体の背面図。
【図３】本発明の第１実施形態に係る電子カメラの内部構成を一部破断して示す図で、（ａ）はカメラ本体を上面側からみた図、（ｂ）はカメラ本体を前面側からみた図、（ｃ）は撮像部のみを第２側面側からみた図、（ｄ）はカメラ本体を第２側面側からみた図。
【図４】本発明の第１実施形態に係る電子カメラの光学ヘッドの構成を示す斜視図。
【図５】本発明の第１実施形態に係る電子カメラの主として電気系の構成を示すブロック線図。
【図６】本発明の第１実施形態に係る変形例を示す図で、（ａ）及び（ｂ）は内蔵電池を縦積みにして格納するようにした例を示す図、（ｃ）は開閉蓋を水平方向に開閉するように取り付けた例を示す図、（ｄ）は撮像部をカメラ本体の第１側面に設けると共にカード挿入口をカメラ本体の第２側面に設けた例を示す図。
【図７】本発明の第２実施形態に係る電子カメラの外面を示す図で、（ａ）はカメラ本体の前面図、（ｂ）はカメラ本体を前面側からみたとき左側に位置する第１側面を示す図。
【図８】本発明の第２実施形態に係る電子カメラの外面を示す図で、（ａ）はカメラ本体の背面図、（ｂ）はカメラ本体を背面側からみたとき左側に位置する第２側面を示す図。
【図９】本発明の第２実施形態に係る電子カメラの内部構成を一部破断して示す図で、（ａ）はカメラ本体を前面側からみた図、（ｂ）はカメラ本体を第１側面側からみた図。
【図１０】本発明の第２実施形態に係る電子カメラの内部構成を一部破断して示す図で、（ａ）はカメラ本体を背面側からみた図、（ｂ）はカメラ本体を第２側面側からみた図。
【図１１】本発明の第２実施形態に係る電子カメラの主として電気系の構成を示すブロック線図。
【発明を実施するための形態】
【００１１】
（第１実施形態）
「構成」
図１は本発明の第１実施形態に係る電子カメラの外観を示す図で、（ａ）及び（ｂ）は主としてカメラ本体の前面を異なる二つの角度からみた外観斜視図である。図２は上記電子カメラの外面を示す図で、（ａ）はカメラ本体の上面図であり、（ｂ）はカメラ本体を前面側からみたとき左側に位置する第１側面を示す図であり、（ｃ）はカメラ本体の前面図であり、（ｄ）はカメラ本体を背面側からみたとき左側に位置する第２側面を示す図であり、（ｅ）はカメラ本体の背面図である。
【００１２】
図１の（ａ）（ｂ）および図２の（ａ）〜（ｅ）に示すように、この電子カメラ１００は、カメラ本体１１０が直方体状をなす縦長のケース１１１に収容されたものとなっている。上記ケース１１１の上面１１１ａには、後述するプリント用紙Ｐを矢印で示す如く排出するための用紙排出口１１２が設けられている。またカメラ本体１１０の前面側からみたとき、ケース１１１の左側に位置する側面すなわち第１側面１１１ｂには、後述する画像記録媒体としてのメモリーカードＭＣをカードスロット１４２に挿入するためのカード挿入口１１３と、後述するカメラ電池Ｂを電池収容室１４６に収容するための電池収容口１１４が設けられている。
【００１３】
カメラ本体１１０の前面１１１ｃには、カートリッジ収納室１４１に対して後述する用紙カートリッジＣＡをカメラ本体１１０の前面から挿脱操作し得るように、カートリッジ収納室１４１の開口部を開閉自在に閉塞する開閉蓋１１５が設けられている。この開閉蓋１１５には、カメラ操作部の一つであるレリーズボタン１１７が装着されている。開閉蓋１１５の上方部位には、撮影時の周囲状況に応じてストロボ発光を行なうためのストロボ発光器１１６が設けられている。
【００１４】
カメラ本体１１０の前面側からみたときケース１１１の右側に位置する側面すなわち、第２側面１１１ｄの下方部位には、入出力ジャックとしての外部入出力端子１１８と外部電源入力端子１１９とが設けられている。また第２側面１１１ｄの上方部位には、撮像部１３０が設けられている。この撮像部１３０は、耳状をなす突出部に、光軸がカメラ本体１０の前後方向を向くように、図２の（ｄ）に示す如く撮像系１３０Ａとファインダ光学系１３０Ｂとを上下に併設したものとなっている。
【００１５】
前記撮像系１３０Ａは、カメラ本体１１０の前方に位置する被写体の光学像を取り込む撮影レンズ１３１と、この撮影レンズ１３１の後方に設置された撮像基板１３２と、この撮像基板１３２上に設けられた電子的撮像手段としてのＣＣＤ１３３とを含んでいる。ＣＣＤ１３３は前記撮影レンズ１３１で取り込まれた光学像を光電変換して画像情報を得る電荷結合型の撮像素子である。
【００１６】
前記ファインダ光学系１３０Ｂは、カメラ本体１１０の前面側にファインダ対物窓１３５を有し、カメラ本体１１０の背面側にファインダ接眼窓１３４を有している。
【００１７】
ケース１１１の背面１１１ｅには、図２の（ｅ）に示すように、画像表示手段としてのＬＣＤ（液晶表示パネル）１２０が設けられている。なお、このＬＣＤ１２０は、後述するようにカードスロット１４２に対し、撮影レンズ１３１の光軸方向に沿って重ならない位置に配置されている。
【００１８】
図３は、第１実施形態に係る電子カメラの内部構成を一部破断して示す図で、（ａ）はカメラ本体１１０を上面側からみた図、（ｂ）はカメラ本体１１０を前面側からみた図、（ｃ）は撮像部１３０のみを第２側面側からみた図、（ｄ）はカメラ本体１１０を第２側面側からみた図である。
【００１９】
図３の（ａ）〜（ｄ）において、１４０はメイン基板を示している。このメイン基板１４０は、その主平面が前記撮像部１３０の光軸と直交する如くケース１１１の中心部に配設されている。メイン基板１４０の裏面側には、電子カメラ本体１１０の電気系の各種回路要素が搭載されていると共に、メモリーカード装填用のカードスロット１４２が設けられている。このカードスロット１４２には、図３の（ｂ）に矢印で示す如く、メモリーカードＭＣが水平方向に挿脱操作される。なおカードスロット１４２は，ＬＣＤ１２０と略同一平面内に配置されている。
【００２０】
図３の（ａ）〜（ｄ）において、１４３はカートリッジホルダを示している。このカートリッジホルダ１４３は、前記開閉蓋１１５の内面に用紙カートリッジＣＡを上端開口部から収容可能な如くポケット状に形成されている。
【００２１】
ところで前記開閉蓋１１５は、その下端部に設けられたヒンジ１１５ａを中心として、図３の（ｄ）に矢印で示す如く、ケース１１１に対し回動可能に設けられている。かくして開閉蓋１１５を、図３の（ｄ）に破線で示す状態となるように、カメラ本体１１０の前方側へ倒すと、これに伴ってカートリッジホルダ１４３も一緒に前傾する。このため上記カートリッジホルダ上端に形成されている開口部が斜め上方を向く。したがってケース１１１の前面側の斜め上方部から、用紙カートリッジＣＡを波線矢印で示す如くカートリッジホルダ１４３に対して挿脱操作することが可能となる。なお上記カートリッジホルダ１４３と、前記メイン基板１４０と、ＬＣＤ１２０とは、ケース１１１の厚み方向に沿って重なり合うように配置されている。換言すれば、メイン基板１４０を中心として、その前面側（被写体側）にカートリッジホルダ１４３が配置され、裏面側（撮像者側）にＬＣＤ１２０が配設されている。
【００２２】
用紙カ−トリッジＣＡには、複数枚の未感光のプリント用紙Ｐが収容されている。本実施形態で用いられているプリント用紙Ｐは、自己現像型の感光性プリント用紙である。
【００２３】
ここで自己現像型の感光性プリント用紙とは、プリント用紙Ｐの感光面に対し撮影された被写体像に対応する露光が行なわれた後、当該感光面に対して加圧操作などによる現像開始操作が行なわれると、プリント用紙Ｐの感光面に現像液が自動的に塗布され、数秒〜数十秒経過後には被写体像の現像がなされて撮影された被写体像がユーザの目に見える状態となるものをいう。
【００２４】
ケース１１１の内部におけるカートリッジ収納室１４１の下方領域には、カメラ本体１１０のカメラ電源である内蔵電池Ｂを横積みで格納するための電池格納室１４６が設けられている。
【００２５】
ケース１１１の内部におけるカートリッジ収納室１４１の上方領域には、後で詳しく述べるプリンタ１６０が設けられている。このプリンタ１６０には、用紙カートリッジＣＡから送り出し機構（不図示）によりカートリッジ外へ送り出されたプリント用紙Ｐに対し、撮像部１３０でとらえた光学像に対応した露光を行なう光学ヘッド１４７や、上記露光が行なわれたプリント用紙Ｐを表裏両面から挟んで圧力を加えることにより、プリント用紙Ｐの表面に設けられた薬剤保護膜を破断して現像液を感光面に塗布して現像を開始させる圧着キャプスタン１４８ａ及び圧着ローラ１４８ｂからなる現像開始手段などが含まれている。
【００２６】
プリンタ１６０のさらに上方には、当該プリンタ１６０により所定画像をプリントされた印刷済み用紙Ｐを、前記用紙排出口１１２からカメラ本体１１０の外部へ排出させるべく、上記用紙Ｐを上記排出口１１２に向けて送り出す送りキヤャプスタン１４９ａ及び送りローラ１４９ｂとが備えられている。なお上記送りキャプスタン１４９ａと前記圧着キャプスタン１４８ａとは、駆動モータ（不図示）により駆動される。
【００２７】
図４は、光学ヘッド１４７の構成を示す斜視図である。図４に示す如く、ＲＧＢ−ＬＥＤ等からなる発光部１５０から所定の広がり角度で出射された光は、円弧状をなし内面に反射面を有する第１ミラー１５１で反射されたのち、同じく円弧状をなし内面に反射面を有する第２ミラー１５２によつて再度反射され、ライン状をなす略フラットな光線となってライン状に一列に配列された液晶シャッタ１５３を介してプリント用紙Ｐに照射されるものとなっている。
【００２８】
なお上記光学ヘッド１４７としては、プリント用紙Ｐの幅方向へその幅に対応した数だけ直線状に配置されたＲＧＢ発光ダイオードと、これと平行に配列されたマイクロレンズとにより構成したものであつてもよい。
【００２９】
前述した送り出し機構（不図示）と、送りキャプスタン１４９ａ及び送りローラ１４９ｂと、これらの駆動源（不図示）とは、本発明の用紙搬出手段を構成している。
【００３０】
図５は、第１実施形態に係る電子カメラの主として電気系の構成を示すブロック線図である。図５に示すように、この電子カメラは撮影レンズ１３１により取り込まれた光学像を光電変換するＣＣＤ１３３と、この光電変換によって得られた電気信号をＲＧＢ信号等に分解する撮像回路１５０と、この撮像回路１５０から出力されるアナログ信号をデジタル信号に変換するＡ／Ｄ変換器１５１と、着脱自在に装填される画像記録媒体すなわちメモリーカードＭＣとの接続を図るためのＩ／Ｆ（インターフェース）１５３と、デジタル化された画像情報を記憶する内蔵メモリー１５４と、この内蔵メモリー１５４内の画像情報を圧縮・伸張する圧縮伸張回路１５５と、外部入出力端子１１８に接続される外部回路との接続を図るための外部Ｉ／Ｆ（インターフェース）１５６と、ＬＣＤ１２０を表示制御する表示回路１５７と、電子カメラの各部を連係動作させるシステムコントローラ１５８とを備えている。
【００３１】
システムコントローラ１５８は、ストロボ発光器１１６を制御し、被写体に向けて適切な照明光を照射する機能を有する。また、システムコントローラ１５８は、レリーズボタン１１７等のカメラ操作部と接続されており、当該操作部からの外部指示を受け入れるものとなっている。そして、このシステムコントローラ１５８には電源部１５９が接続されている。
【００３２】
この電源部１５９には、外部電源入力端子１１９及び内蔵電池Ｂが接続されており、外部電源による内蔵電池Ｂの充電等を適時行なえるものとなっている。
【００３３】
図５の下方部位に示す二点鎖線で囲んだ部分は、前述したプリンタ１６０の内部構成を示している。図５に示す如く、プリンタ１６０はシステムコントローラ１５８からの指示を受けてプリント画像情報を生成するプリント画像生成回路１６１と、生成されたプリント画像情報に基づいて，光学ヘッド１４７を駆動するヘッド駆動回路１６２とを備えている。またプリント用紙Ｐの位置を検出するプリント用紙位置検出センサ１６３を備えており、その検出情報をシステムコントローラ１５８に与えるものとなっている。さらにカートリッジホルダ１４３内に用紙カートリッジＣＡが存在しているか否かを検出するカートリッジ検出センサ１６４を備えており、その検出情報をシステムコントローラ１５８に与えるものとなっている。さらにまた駆動モータを含む駆動部１６５と、この駆動部１６５をシステムコントローラ１５８からの制御信号に基づいて制御する駆動制御回路１６６とを備えている。
【００３４】
このように構成された第１実施形態に係る電子カメラにおいては、次の如く作動する。すなわち撮像者がレリーズボタン１１７を押すと、撮影レンズ１３１によって被写体の光学像が取り込まれる。この光学像はＣＣＤ１３３によって電気信号に変換される。この時、レリーズボタン１１７は開閉蓋１１５上に設けられており、カメラ本体１１０を保持している撮影者の手指に近いため。操作性が極めてよい。ＣＣＤ１３３から出力される電気信号は、撮像回路１５０に導かれ、ここでＲ，Ｇ，Ｂの各信号に分解されたのち、Ａ／Ｄ変換器１５１によってデジタル信号化され、画像情報として内蔵メモリー１５４に記憶される。
【００３５】
内蔵メモリー１５４に記憶された画像情報は適時読み出され、圧縮伸張回路１５５により圧縮されたのち、Ｉ／Ｆ １５３を経由してメモリーカードＭＣに記録される。また前記画像情報が表示回路１５７に入力することにより、撮影された被写体像がＬＣＤ２０により表示される。
【００３６】
次に撮像者がプリントスイッチ（不図示）をＯＮにすると、システムコントローラ１５８が作動し、同システムコントローラ１５８からカメラ本体１１０の各部に対してプリント指令が出される。そうすると、一方において用紙カートリッジＣＡに格納されている未感光のプリント用紙Ｐが、送り出し機構（不図示）によって、１枚づつプリンタ１６０の光学ヘッド１４７が存在している所定位置まで送り出される。そして他方において、システムコントローラ１５８の制御により内蔵メモリー１５４内に記憶されている画像情報の１ライン分が読み出され、この読み出された１ライン分の画像情報に対応する信号がプリント画像生成回路１６１に入力する。このためプリント画像生成回路１６１によりＲＧＢ画像信号が生成され、発光部１５０および液晶シャッター１５３を駆動制御するためのヘッド駆動回路１６２を作動させる。その結果、光学ヘッド１４７による露光が行なわれる。すなわち、ＲＧＢ発光ダイオード等からなる発光部１５０が発光し、その光が第１，第２のミラー１５１，１５２を介し、さらに液晶シャッター１５３を経由して、前記プリント用紙Ｐの感光面上に１ライン分の光像として照射され露光が行なわれる。
【００３７】
次に、システムコントローラ１５８による制御指令により、駆動制御回路１６６が作動し、駆動モータを含む駆動部６５を作動させる。このためプリント用紙Ｐは１ライン分だけ用紙排出口側へ送り出される。ここで前述と同様に、画像情報の次の１ライン分が読み出され、この１ライン分の露光が行なわれる。
【００３８】
以下、同様の動作が繰り返されることにより、プリント用紙Ｐの感光面上には１ライン分づつ順次露光が行なわれていく。
【００３９】
光学ヘッド１４７により露光が行なわれて感光した部分は、１ライン分だけ送り出されることで、圧着キャプスタン４８ａと圧着ローラ４８ｂの間に挟み込まれる。このためプリント用紙Ｐの感光部分には圧力が加えられ、プリント用紙Ｐの薬剤保護膜が破断され、現像液が上記感光部分に塗布される。そして現像液が塗布されたプリント用紙Ｐは送りキャプスタン４９ａと送りローラ４９ｂに挟まれてプリント用紙排出口１２から外部に引き出される。かくして最終的には１枚分の画像のフリントが完了する。
【００４０】
上述したように、第１実施形態に係る電子カメラにおいては、内蔵メモリー１５４に記憶されている画像情報を、プリント用紙Ｐに一挙にプリントアウトするのではなく、１ライン分づつ画像情報に変換し、かつこれに基づいてプリント用紙Ｐに対し１ライン分づつ露光を行なうようにし、内蔵メモリー５４からの読み出しとプリント用紙Ｐの送り出しとを同期させて画像全体を完成させるようにしている。このため、プリント範囲と同等な面積を有する光学ヘッド等の感光手段は不要となり、電子カメラを小型化することが可能となる。また撮影レンズ１３１を含む撮像部１３０が、カメラ本体１１０のケース１１１から突出した状態に設けられているため、電子カメラを小型化する上でさらに効果的である。
【００４１】
またカードスロット１４２は、カートリッジ収納室１４１の背面側であって、カートリッジ収納室１４１の主平面の一部と重複する位置に設けられ、かつ、ＬＣＤ１２０はカードスロット１４２に対して撮影レンズ１３１の光軸方向に沿って重ならない位置に配置されているため、比較的大きな面積を要する部材が効率よく配置されることになり、ケース１１１が大型化するのを避けることが可能である。
【００４２】
なお、第１実施形態の電子カメラにおいては、次の三つの動作モードが考えられる。
【００４３】
（１）撮影・即プリント・モード撮影された画像を内蔵メモリー１５４に記憶すると同時に，その画像情報を用いて印刷を行なうモードである。このモードでは、メモリーカードＭＣへの記録やＬＣＤ２０での画像表示は行なわないため、不要な電力を節減することができる。
【００４４】
（２）撮像・記録時プリント・モード撮像画像を内蔵メモリー１５４に記憶したのち、まず画像情報を圧縮してメモリーカードＭＣへの記録を優先して行ない、次いでプリントを行なうモードである。このモードではＬＣＤ２０における画像表示は行なわない。
【００４５】
（３）メモリーカードからの情報のプリント・モードメモリーカードＭＣに記録されている画像情報についてプリントを行なうモードである。なおこのモードにおいては、画面選択のために、まずメモリーカードＭＣ中の画像情報を伸張して一旦ＬＣＤ２０にて表示し、その画像の内容が確認されたのちプリントが行なわれる。
【００４６】
以上三つの動作モードを適宜使い分けることにより、より便利な使い方ができる。
【００４７】
（第１実施形態の変形例）図６は、本発明の第１実施形態に係る変形例を示す図で、（ａ）及び（ｂ）は内蔵電池Ｂを縦積みにして格納するようにした例を示す図であり、（ｃ）は開閉蓋１１５を水平方向に開閉するように取り付けた例を示す図、（ｄ）は撮像部１３０をカメラ本体１１０の第１側面１１１ｂに設けると共にカード挿入口１１３をカメラ本体１１０の第２側面１１１ｄに設けた例を示す図である。
【００４８】
図６の（ａ）（ｂ）に示すように構成した場合においては、内蔵電池Ｂが縦積みされる結果、ケース１１１の横幅は若干大きくなるが、縦方向の長さを短くすることが可能となる。図６の（ｃ）に示すように構成した場合、あるいは図６の（ｄ）に示すように構成した場合においては、ユーザの好みによって使い勝手が向上する可能性がある。
【００４９】
図６の（ａ）〜（ｄ）において、上記した点以外は前述した第１実施形態と同様であるので、同一箇所に同一符号を付してその説明は省く。
【００５０】
（第１実施形態における特徴点）
［１］実施形態に示された電子カメラは、略長方形状で縦長に形成されたカメラ本体(110) と、このカメラ本体(110) の正面からみて右側面の上部に突出するように一体的に設けられた撮像部(130) と、この撮像部(130) 内に設けられた撮影レンズ(131) と、この撮影レンズ(131) で結像された被写体像を光電変換する電子的撮像手段(133) と、上記カメラ本体(110) 内に設けられ上記電子的撮像手段(133) によって得られた画像をプリント用紙(P) にプリントするプリント手段(160) と、上記カメラ本体(110) 内に設けられた略偏平な形状の空間であって、その主平面が上記撮影レンズ(131) の光軸と略垂直な向きに配置され、上記プリント用紙(P) を内部に格納した用紙カートリッジ(CA)を装着使用するためのカートリッジ収納室(141) と、上記カメラ本体(110) の上面に設けられ上記プリント手段(160) でプリントされたプリント用紙(P) を上記カメラ本体(110) 外に排出するための用紙排出口(112) と、を備えたことを特徴としている。
【００５１】
［２］第１実施形態に示された電子カメラは、前記［１］に記載した電子カメラであって、かつ上記プリント用紙(P) として感光性用紙が用いられ、上記プリント手段(160) は、上記電子的撮像手段(133) によって得られた画像の画像情報に基づいて上記感光性用紙(P) を露光するための発光手段(147) と、上記感光性用紙(P) を搬送する搬送手段とを有することを特徴としている。
【００５２】
［３］第１実施形態に示された電子カメラは、前記［１］又は［２］に記載した電子カメラであって、かつ上記カメラ本体(110) の前面側には、上記カートリッジ収納室(141) から上記カートリッジ(CA)を着脱するための開閉自在に構成された保護蓋(115) が設けられていることを特徴としている。
【００５３】
［４］第１実施形態に示された電子カメラは、前記［３］に記載した電子カメラであって、上記保護蓋(115) に操作部(117) が設けられていることを特徴としている。
【００５４】
［５］第１実施形態に示された電子カメラは、前記［３］に記載した電子カメラであって、上記カートリッジ収納室(141) の背面側であって、カートリッジ収納室(141)の主平面の一部と重複する位置に着脱自在の記録媒体(MC)装着用のスロット(142) が設けられていることを特徴としている。
【００５５】
［６］第１実施形態に示された電子カメラは、前記［１］又は［２］に記載した電子カメラであって、上記カメラ本体(110) の背面であって、上記スロット(142) に対し前記撮影レンズ(131) の光軸方向に沿って重ならない位置に、画像を表示するために略偏平な形状を有する画像表示手段(120) が配置されていることを特徴としている。
【００５６】
［７］第１実施形態に示された電子カメラは、前記［１］〜［６］に記載されている事項を適宜組み合わせた内容を含んでいることを特徴としている。
【００５７】
（第２実施形態）次に本発明の第２実施形態に係る電子カメラについて説明する。プリンタ付きの電子カメラのうち、自己現像型の感光性プリント用紙を用いてその場でプリント可能な電子カメラでは、カメラ本体内に本来の撮影機構の他にプリンタ機構や用紙カートリッジを収容する場所を確保しなくてはならず、カメラ全体の外形寸法が通常の電子カメラに比べて大きくなる。したがって携帯性や操作性を損なうおそれがある。
【００５８】
そこで、プリンタ機構や用紙カートリッジを効率的に配置しようとすると、撮影レンズ、ファインダ、フラッシュ等の光学系が、適正な配置関係を維持できなくなるおそれがある。その結果、重量バランスが崩れ、カメラの保持し易さや構え易さが損なわれ、操作性が悪化するおそれがある。なお、用紙カートリッジの着脱操作性、画像記録媒体（メモリーカード）の着脱操作性、撮影済み感光性プリント用紙の装填および取り出しの容易性、等を考慮しなければならず、さらに撮影画像のモニタ（ＬＣＤ）画面の見易さ等も配慮しなくてはならない。
【００５９】
そこで本発明の第２実施形態においては、下記の利点を有する電子カメラを提供しようとするものである。
【００６０】
(a) プリンタ機構を有するものでありながら、カメラ本体の薄型化・小型化をはかり得、携帯性や操作性を損なうおそれがない。
【００６１】
(b) 撮影レンズと、ストロボ発光部との間の距離および配置が適正化され、赤目現象の発生が少ない。
【００６２】
(c) 光学ファインダと撮影レンズとが近接配置され、その下部をグリップ部となし得るため、手ぶれの影響を受け難く、パララックスの発生を軽減できる。
【００６３】
(d) 電子回路を搭載する基板が分割配置され、カメラ本体内の空間を有効に利用することできるため、カメラの小型化が図れる。
【００６４】
「構成」
図７の（ａ）（ｂ）〜図１０は本発明の第２実施形態に係るプリンタ付き電子カメラの構造を示す図である。図７の（ａ）（ｂ）は同実施形態に係る電子カメラの外面を示す図で、（ａ）はカメラ本体の前面図、（ｂ）はカメラ本体を前面側からみたとき左側に位置する第１側面を示す図である。図８は同実施形態に係る電子カメラの外面を示す図で、（ａ）はカメラ本体の背面図、（ｂ）はカメラ本体を背面側からみたとき左側に位置する第２側面を示す図である。図９は同実施形態に係る電子カメラの内部構成を一部破断して示す図で、（ａ）はカメラ本体を前面側からみた図、（ｂ）はカメラ本体を第１側面側からみた図である。図１０は同実施形態に係る電子カメラの内部構成を一部破断して示す図で、（ａ）はカメラ本体を背面側からみた図、（ｂ）はカメラ本体を第２側面側からみた図である。
【００６５】
図７の（ａ）（ｂ）に示すように、電子カメラのカメラ本体３１０は、略直方体状をなす縦長のケース３１１に収容されている。上記ケース３１１の第１側面３１１ｂの上部には、後述するＣＣＤ２３６上に被写体像を結像するための撮影レンズ２０１が設けられている。この撮影レンズ２０１の上側には光学ファインダ２０２の対物窓部２０２ａが設けられており、また撮影レンズ２０１の下側には撮影開始を指示するためのレリーズボタン２０３が設けられている。ケース３１１の前面３１１ｃの中央上部にはストロボ発光部２０４が設けられている。ケース３１１の前面３１１ｃの中央部位には、カートリッジ収納室２０５が設けられている。
【００６６】
このカートリッジ収納室２０５は、前記カメラ本体２００の前部領域に、主平面が前記撮影レンズ２０１の光軸と垂直な方向を向くように設けられた扁平空間からなる。上記カートリッジ収納室２０５は、プリント用紙を格納した用紙カートリッジＣＡをカメラ本体３１０のケース前面から挿脱可能な如く、ケース３１１の前面に設けられた開口部を、開閉自在に閉塞する如く設けられた開閉蓋２０５ａを有している。開閉蓋２０５ａの内面には用紙カートリッジＣＡを収容保持するためのポケット状をなすカートリッジホルダ２０５ｂが設けられている。
【００６７】
かくして開閉蓋２０５ａを、図１の（ｂ）に二点鎖線で示す如く、カメラ本体３１０に対して前方に傾けることにより、カートリッジホルダ２０５ｂの上端開口部が斜め上方を向く。このため、用紙カートリッジＣＡを斜め上方から挿脱操作し得るものとなる。なお第２実施形態における用紙カートリッジＣＡの内部には、複数枚の感光性プリント用紙Ｐのほかに、後述するプリント用の電池ＰＢが内蔵されている。
【００６８】
ケース３１１の第１側面３１１ｂの下隅にはメモリーカードＭＣを着脱自在に装填するためのカードスロット２０６の挿入口が設けられている。
【００６９】
なおカートリッジ収納室２０５に隣接する撮影レンズ２０１の下方領域には、カメラ電池Ｂを収納するための電池格納室２０７が設けられている。この電池格納室２０７の外周に相当するケース３１１の外周部が、カメラ本体３１０のグリップ位置となる。
【００７０】
図８の（ａ）（ｂ）に示すように、ケース３１１の背面３１１ｅには画像表示用ＬＣＤ２０８と、電子カメラの使用状態を撮影者に視覚を通して告知するモード表示用ＬＣＤ２０９と、光学ファインダ２０２の接眼窓部２０２ｂと、プリント開始等の各種指令を指示するための操作部２１０とが設けられている。
【００７１】
ケース３１１の第２側面３１１ｄにはビデオ出力端子２１１と、デジタルデータ出力端子２１２と、外部から主電源供給の受け口となる外部電源入力端子２１３とが設けられている。
【００７２】
ケース３１１の上面３１１ａには印刷済みのプリント用紙Ｐを排出するための用紙排出口（不図示）が設けられている。
【００７３】
図９の（ａ）（ｂ）に示すように、カメラ本体３１０の内部上方には、用紙排出機構２２０が設けられている。この用紙排出機構２２０は用紙カートリッジＣＡに格納されているプリント用紙Ｐを引き出し、且つケース上面３１１ａの用紙排出口から外部へ送り出す。その途中でプリンタ（不図示）により、プリント用紙Ｐの感光面に対して撮影画像に応じた露光を行ない、しかるのち現像を開始させる。
【００７４】
用紙排出機構２２０は、スプレッドローラ２２１と、送りローラ２２２と、駆動モータ２２３と、この駆動モータ２２３の回転をローラ２２１および２２２に伝達するための伝達部２２４（スプレッドローラギア２２５、送りローラギア２２６を含む）とを備えている。
【００７５】
送りローラ２２２の回転軸には、エンコーダ用のディスク２２７が取り付けられており、このディスク２２７の両面を挟むようにエンコーダ２２８が配置されている。このエンコーダ２２８は、ディスク２２７の回転角度からプリント用紙Ｐの搬出状態を検出し、その情報を後述するシステムコンピュータ２５０へ送る機能を有している。
【００７６】
電池格納室２０７の背面側には、ストロボ制御用コンデンサ２２９が配置されている。このストロボ制御用コンデンサ２２９に蓄積された電荷がストロボ発光用の電力としてストロボ発光部２０４へ供給される。
【００７７】
カメラ本体３１０の内部の後部領域には、撮像基板２３０、デジタル基板２３１、プリンタ基板２３２の三つの基板が、各種の電子回路が最もスペース効率高く配設されるように、分割して組み込まれている。なお撮像基板２３０とデジタル基板２３１とはコネクタ２３３を介して接続され、デジタル基板２３１とプリンタ基板２３２とはコネクタ２３４を介して接続されている。
【００７８】
図１０の（ａ）（ｂ）に示すように、カートリッジ収納室２０５と、デジタル基板２３１およひ画像表示用ＬＣＤ２０８とで挟まれた領域には、プリンタの電光変換部２３５が設けられている。この電光変換部２３５は用紙カートリッジＣＡから引き出されたプリント用紙Ｐの感光面に対し、撮影画像に対応する光学像を１ラインづづ露光させる機能を有している。
【００７９】
図１１は、本実施形態の主として電気系の構成を示すブロック線図である。図１１に示すように、撮像基板２３０には、撮影レンズ２０１によって取り込まれた被写体の光学像を電気信号に変換するＣＣＤ（Ｃｈａｒｇｅ ＣｏｕｐｌｅｄＤｅｖｉｃｅ）２３６と、このＣＣＤ２３６によって変換された電気信号をＲＧＢ信号に分解する撮像回路２３７と、この撮像回路２３７により分解された画像信号をデジタル信号に変換するＡ／Ｄ変換器２３８とが設けられている。
【００８０】
デジタル基板２３１には、電子カメラ全体の制御を行なうシステムコントローラ２５０と、このシステムコントローラ２５０に接続されている各種回路とが設けられている。システムコントローラ２５０に接続されている各種回路とは、前記Ａ／Ｄ変換器２３８によってデジタル化された画像データを記憶する内蔵メモリ２５１、画像を処理する画像処理回路２５２、画像を圧縮・伸張する圧縮伸張回路２５３、圧縮伸張回路２５３により圧縮された画像情報をメモリーカードＭＣに送るためのＩ／Ｆ（インターフェイス）２５４、デジタルデータ出力端子２１２を介して画像信号をカメラ外部とやりとりする為の外部Ｉ／Ｆ（インターフェイス）２５５、画像信号をビデオ信号に変換しビデオ出力端子２１１を介して出力したり画像表示用ＬＣＤ２０８に供給したりするビデオ出力回路２５６、プリント画像を生成するプリント画像生成回路２５７、ストロボ制御回路（コンデンサを含む）２１９、等である。
【００８１】
なおシステムコントローラ２５０には、デジタル基板２３１には直接搭載されてはいないが、前記ストロボ制御回路２１９を介してストロボ発光部２０４が接続されている外、モード表示用ＬＣＤ２０９、レリーズボタン２０３、操作部２１０等が直接的に接続されている。
【００８２】
電源供給部２５８は、撮像基板２３０、デジタル基板２３１（システムコントローラ２５０を介して）に電力を分配供給する機能を有している。この電源供給部２５８にはカメラ本体３１０の中に内蔵されているカメラ電池Ｂ及び外部電源入力端子２１３が接続されている。なお、電源供給部２５８はカメラ電池Ｂへの充電機能も兼ね備えている。
【００８３】
プリンタ基板２３２には、１ライン毎の画像信号を蓄積するラインメモリ２６０と、このラインメモリ２６０からの画像信号に基づいて後述する光学ヘッド２７０の発光等を制御するヘッド制御回路２６１とが設けられている。さらに、プリンタ基板２３２には、プリント用紙Ｐを搬出制御するための駆動制御回路２６２と、プリンタ電源部２６３とが設けられている。プリンタ電源部２６３は、用紙カートリッジＣＡに内蔵されているプリンタ用電池ＣＢから電源供給を受け、適当な電圧変換を行なった上、プリンタ基板２３２上の各電子回路に電源を供給する。
【００８４】
電光変換部２３５は、光学ヘッド２７０を備えている。この光学ヘッド２７０は画像信号に基づいてプリント用紙Ｐに光を照射し、感光させる機能を有している。なお上記光学ヘッド２７０は、基本的には図４に示した第１実施形態における光学ヘッド１４７と同様の構成を有するものである。
【００８５】
このように構成された第２実施形態における電子カメラは、次のように作動する。本実施形態における電子カメラ１０の動作は、被写体を撮影して内部に記録する迄の撮影モードと、一旦記録された被写体像をプリントアウトするプリントモードとに分けることができる。
【００８６】
「撮影モード」撮影者が撮影レンズ２０１を被写体に向け、被写体像を光学ファインダ２０２で確認したのち、レリーズボタン２０３を押圧操作すると、システムコントローラ２５０が作動し、撮影動作がスタートする。なお周囲の明るさ状態に応じてストロボ制御回路（コンデンサ）２１９を作動待機状態とすることにより、レリーズボタン２０３の押圧操作に連動してストロボ発光部２０４が作動し、被写体に向けて適切な照明光が照射される。
【００８７】
撮影レンズ２０１によって取り込まれた被写体の光学像は、ＣＣＤ２３６によって電気信号に変換される。この電気信号は、撮像回路２３７及びＡ／Ｄ変換器２３８を通して信号処理されてテジタル画像信号となり、内蔵メモリ２５１に記憶される。そして上記内蔵メモリ２５１に記憶された画像信号は、圧縮伸長回路２５３により圧縮されたのち、Ｉ／Ｆ（インターフェイス）２５４を介してメモリーカードＭＣへ送られ記録される。また外部Ｉ／Ｆ ２５５を介してデジタル出力端子２１２から外部回路へ出力される。さらに、ビデオ出力回路２５６を経由してビデオ出力端子２１１から外部回路へ出力されたり、画像表示ＬＣＤ２０８に送られる。
【００８８】
なお、電子カメラ内部の動作状態は、モード表示用ＬＣＤ２０９を介して撮影者に視覚を介して報知される。
【００８９】
「プリントモード」操作部２１０によりプリント指示がなされると、システムコントローラ２５０の制御指令を受けて内蔵メモリ２５１の中に格納されている画像情報が読み出され、プリント画像生成回路２５７によりＲＧＢ画像信号に変換され、その１ライン分がラインメモリ２６０に書き込まれる。このラインメモリ２６０に書き込まれた１ライン分の画像信号に応じてヘッド制御回路２６１が作動し、光学ヘッド２７０を駆動する。かくして、プリント用紙Ｐ上に１ライン分の露光が行なわれる。
【００９０】
１ライン分の露光が終わると、ついで画像情報の次の１ライン分が読み出されて上記同様に露光が行なわれる。１画面の露光中は、スプレッドローラ２２１及び送りローラ２２２によりプリント用紙Ｐは連続して送られる。以下、同様の動作が繰り返されて１画面の露光が行なわれ、かつ第１実施形態と同様の現像等が行なわれて画像プリントが完了する。
【００９１】
上記動作において、駆動制御回路２６２は、システムコントローラ２５０の指示を受けて、適切なタイミングで用紙排出機構２２０に制御指令を与える。このため前記光学ヘッド２７０による露光と同期してプリント用紙Ｐの送り制御が行なわれる。又、感光済みプリント用紙Ｐに対する現像及び定着過程への送り込み動作、さらに全過程を終了したプリント用紙Ｐのカメラ本体外への排出動作に至る一連の用紙搬出動作が、プリント用モータ２２３で駆動されるスプレッドローラ２２１及び送りローラ２２２等によって行なれる。
【００９２】
なお上述した撮影モードによる動作とプリントモードによる動作とは、連続的に行なっても良いし、単独で行なっても良い。
【００９３】
ところで、第２実施形態の電子カメラにおいては、カートリッジ収納室２０５が，カメラ本体３１０の前面側中央部に配置され、用紙排出機構２２０がカートリッジ収納室２０５の上部に配置され、電光変換部２３５がカートリッジ収納室２０５の背面側に配置されている。また、光学ファインダ２０２は、カメラ本体３１０の上隅部であってカートリッジ収納室２０５と厚さ方向で重ならない位置に配置され、撮影レンズ２０１は、光学ファインダ２０２の下方であって、かつカートリッジ収納室２０５と厚さ方向で重ならない位置に配置されている。さらに電池格納室２０７は撮影レンズ２０１の下方であってカートリッジ収納室２０５の側傍に配置されている。
【００９４】
このため、厚さのある部材同士がカメラ本体３１０の前後方向において重なることがないため、カメラ本体３１０を薄型化できる。また、比較的重量の大きい電池Ｂを収容する電池格納室２０７の周囲がグリップとなっているため、撮影時の手ぶれを最小限に抑えることができる。
【００９５】
また、カメラ本体３１０の前面中央部であって、光学ファインダ２０２に対してカメラ本体３１０の高さ方向において略同じ位置に、ストロボ発光部２０４が設けられている。このため、ストロボ発光部２０４と撮影レンズ２０１との距離をとることができ、赤目発生のおそれ少ない。またストロボ発光部２０４が、撮影レンズ２０１の斜め上方に位置するので撮影条件も良好となる。
【００９６】
さらに、ストロボ発光部２０４の位置は、用紙排出機構２２０の前面に置かれるので、ケース３１１の内部におけるスペースの利用効率が向上する。
【００９７】
また、電光変換部２３５は略偏平形状を呈し、その上辺は用紙カートリッジＣＡの上部より上に、その下辺は用紙カートリッジＣＡの下部より上となるようにカートリッジ収納室２０５と平行配置されているため、光学ヘッド２７０の上端部から出射された露光線を、カートリッジ収納室２０５の上部領域において、用紙排出機構２２０内にあるプリント用紙Ｐに対して支障なく照射することができる。
【００９８】
さらにまた、電光変換部２３５の下方で、かつカートリッジ収納室２０５の背面側の空間に、カードスロット２０６が配置されているため、より効率的なレイアウトを図ることができ、カメラ本体３１０を小型化できる。
【００９９】
また、電光変換部２３５の下方や、カートリッジ収納室２０５の背面側の空間に、電子回路が実装された撮像基板２３０、デジタル基板２３１及びプリンタ基板２３２が分割して配置されているため、効率的な配線と空間の使用が図られ、カメラの小型化に寄与している。
【０１００】
上述したように本実施形態に係る電子カメラによれば、プリンタ機能を有するものでありながら、カメラ本体３１０を薄型化・小型化できる。従って携帯性や操作性を損なうことがない。また撮影者の手ぶれやフラッシュ撮影時の赤目現象も低減することができる。
【０１０１】
なお本発明は上述した実施形態に限定されるものではなく、種々変形して実施可能であるのは勿論である。
【０１０２】
（第２実施形態における特徴点）
［１］第２実施形態に示された電子カメラは、カメラ本体(310) の前面(311c)中央部に配置され、自己現像型の感光性プリント用紙(P) を収容する用紙カートリッジ(CA)を収納するとともに、上記感光性プリント用紙(P) が上記カメラ本体(310) の前面(311c)に平行に配置されたカートリッジ収納室(205) と、上記カートリッジ収納室(205) の上部に設けられ、上記用紙カートリッジ(CA)から上記感光性プリント用紙(P) を引き出しながら上記カメラ本体(310) 外へ搬出する用紙搬出手段(220,262) と、上記カートリッジ収納室(205) の背面(311e)側に配置され、上記用紙搬出手段(220,262) により搬送される感光性プリント用紙(P) に対し、画像信号に基づく露光を順次行なう光学系(235.270) と、上記用紙搬出手段(220,262) の上方で、かつ、上記カメラ本体(310) の上面(311a)に設けられ、上記用紙搬出手段(220,262) により搬出される上記感光性プリント用紙(P) を排出する用紙排出機構(220) と、上記カメラ本体(310) の上隅部であって上記カートリッジ収納室(205) と厚さ方向で重ならない位置に配置された光学ファインダ(202) と、上記光学ファインダ(202) の下方であって、かつ上記カートリッジ収納室(205) と厚さ方向で重ならない位置に配置され、撮像素子(236) に被写体像を結像する撮影レンズ部(201) と、上記カートリッジ収納室(205) に隣接するとともに上記撮影レンズ部(201) の下方に配置され、電池(B) を収納するための電池格納室(207) とが設けられていることを特徴としている。
【０１０３】
［２］第２実施形態に示された電子カメラは、前記［１］に記載した電子カメラであって、上記カメラ本体(310) の前面(311c)中央部であって、上記光学ファインダ(202) に対し上記カメラ本体(310) の高さ方向において略同じ位置にストロボ発光部(204) が設けられていることを特徴としている。
【０１０４】
［３］第２実施形態に示された電子カメラは、前記［１］に記載した電子カメラであって、上記光学系(235.270) は、略偏平形状に形成され、上記カートリッジ収納室(205) の背面(311e)側に上記カートリッジ収納室(205) と平行に配置されるとともに、その上端が上記カメラ本体(310) の高さ方向において上記カートリッジ収納室(205) より上方に位置し、その下端が上記カートリッジ収納室(205) より上方に位置することを特徴としている。
【０１０５】
［４］第２実施形態に示された電子カメラは、前記［３］に記載した電子カメラであって、上記光学系(235.270) の下方で、かつ、上記カートリッジ収納室(205) の背面(311e)側に、上記画像信号を記録するための記録媒体(MC)が装着される媒体スロット(206) が配置されていることを特徴としている。
【０１０６】
［５］第２実施形態に示された電子カメラは、前記［３］に記載した電子カメラであって、上記光学系(235.270) の下部で上記カートリッジ収納室(205) の背面(311e)側に、少なくとも電気部が実装された電気基板(230,231,232) が配置されていることを特徴としている。
【０１０７】
［６］実施形態に示された電子カメラは、前記［１］〜［６］に記載されている事項を適宜組み合わせた内容を含んでいることを特徴としている。
【０１０８】
以上、第１実施形態乃至第２実施形態に基づいて本発明を説明したが、本発明は上述した実施形態に限定されるものではなく、本発明の要旨の範囲内で、種々の変形及び応用が可能なことは勿論である。
【０１０９】
さらに、上述した実施形態には種々の段階の発明が含まれており、開示した複数の構成要件の適当な組み合わせにより種々の発明が抽出され得る。例えば、実施形態に示す全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【符号の説明】
【０１１０】
１１０，３１０…カメラ本体、  １１１，３１１…ケース、  １１２…プリント用紙排出口、  １１５…開閉蓋、  １１６…ストロボ発光器、  １１７…レリーズボタン、  １２０…ＬＣＤ、  １３０…撮像部、  １３０Ａ…撮像系、  １３１，２０１…撮影レンズ
１３０Ｂ…ファインダ光学系、  １４０…メイン基板、  １４１…カートリッジ収納室、  １４２，２０６…カードスロット、  １４３，２０５ｂ…カートリッジホルダ、  １４７，２７０…光学ヘッド、  １６０…プリンタ、  ２０２…光学ファインダ、  ２０３…レリーズボタン、  ２０４…ストロボ発光部、  ２０５…カートリッジ収納室、  ２０５ａ…保護蓋、  ２０８…画像表示用ＬＣＤ、  ２３０…撮像基板、  ２３１…デジタル基板
２３２…プリンタ基板、  ２３５…電光変換部、  ２３６…ＣＣＤ（撮像素子）、  ＣＡ…用紙カートリッジ、  Ｐ…感光性プリント用紙、  ＭＣ…メモリーカード、  Ｂ…カメラ用内臓電池、  ＣＢ…プリンタ用電池。
【図１】
0004660595.tif 000002
【図２】
0004660595.tif 000003
【図３】
0004660595.tif 000004
【図４】
0004660595.tif 000005
【図５】
0004660595.tif 000006
【図６】
0004660595.tif 000007
【図７】
0004660595.tif 000008
【図８】
0004660595.tif 000009
【図９】
0004660595.tif 000010
【図１０】
0004660595.tif 000011
【図１１】
0004660595.tif 000012